(57)【特許請求の範囲】
【請求項１】
押し花乾燥シートの上面に位置される押し花シートが該押し花乾燥シートと同じ大きさあるいはわずかに小さい寸法となるように該押し花シートの両端部が折り曲げられ、該押し花シートに重ねられた、透明あるいは半透明の通気性を有するものを用いる押し花シートセット工程と、前記押し花シート内に押し花にする草花を前記押し花シートセット工程の前あるいは後に配置する草花配置工程と、この草花配置工程および押し花シートセット工程を経たものを複数個積み重ねて押し圧する押し圧工程と、この押し圧工程後に押し花シートを取り出し、そのまま保存袋に収納したり、押し花シートの両端部を持って該押し花シート上の出来上がった押し花を保存容器等へ移す押し花保存工程とからなることを特徴とする押し花の作成方法。
【請求項２】
透明あるいは半透明の通気性を有する押し花シート本体と、この押し花シート本体の左右の両端部と折り目を介して一体形成された、該押し花シート本体と重なり合うカバーシートとからなることを特徴とする押し花シート。
【請求項３】
透明あるいは半透明材でメッシュ状あるいは多孔シート状に形成された押し花シート本体と、この押し花シート本体の左右の両端部と折り目を介して一体形成された、該押し花シート本体と重なり合うカバーシートとからなることを特徴とする押し花シート。
【発明の詳細な説明】
【０００１】
【発明の属する技術分野】
本発明は押し花の作成方法および該押し花の作成方法で用いる押し花シートに関する。
【０００２】
【従来の技術】
従来、押し花を作成する場合、押し花乾燥シートの上に和紙を配置し、該和紙の上に押し花にする草花を配置した後、該草花を和紙で覆ったものを複数個積み重ねてゴムバンド等を用いて押し圧して設置し、押し花を作成している。
【０００３】
【発明が解決しようとする課題】
従来の押し花の作成方法で用いる和紙は一般に使用されているものを用いているため、押し花乾燥シートの大きさと一致せず押し花乾燥シートよりはみ出し、押し圧する場合のゴムバンド等の取付け時に和紙を移動させて、該和紙上に配置した草花を移動させてしまい、きれいな押し花ができなかったり、草花を再度配置し直さなければならないという欠点があった。
また、押し花が出来上がった場合には、出来上がった押し花を和紙より手やピンセットで取り出し、保存袋や保存容器に収納するため手数がかかり、出来上がった押し花を損傷しやすいとともに、押し花を取り出した和紙はゴミになってしまうという欠点があった。
【０００４】
本発明は以上のような従来の欠点に鑑み、押し花にするために配置した草花が押し圧する場合に移動するのを効率よく防止するとともに、出来上がった押し花をそのまま保存袋に収納する保存シートとして用いることができるとともに、押し花に触ることなく移動させることができる押し花の作成方法および押し花シートを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は押し花乾燥シートの上面に位置される押し花シートが該押し花乾燥シートと同じ大きさあるいはわずかに小さい寸法となるように該押し花シートの両端部が折り曲げられ、該押し花シートに重ねられた、透明あるいは半透明の通気性を有するものを用いる押し花シートセット工程と、前記押し花シート内に押し花にする草花を前記押し花シートセット工程の前あるいは後に配置する草花配置工程と、この草花配置工程および押し花シートセット工程を経たものを複数個積み重ねて押し圧する押し圧工程と、この押し圧工程後に押し花シートを取り出し、そのまま保存袋に収納したり、押し花シートの両端部を持って該押し花シート上の出来上がった押し花を保存容器等へ移す押し花保存工程とで押し花の作成方法を構成している。
【０００７】
また、本発明は透明あるいは半透明の通気性を有する押し花シート本体と、この押し花シート本体の左右の両端部と折り目を介して一体形成された、該押し花シート本体と重なり合うカバーシートとで押し花シートを構成している。
【０００８】
【発明の実施の形態】
以下、図面に示す実施の形態より、本発明を詳細に説明する。
【０００９】
図１ないし図１０に示す本発明の第１の実施の形態において、１は押し花乾燥シート２の上面に両端部が折り曲げられて重ねられた、透明あるいは半透明の通気性を有する押し花シート３を位置させる押し花シートセット工程で、この押し花シートセット工程１で使用される押し花乾燥シート２は図３に示すように、パルプ繊維と化学繊維とを用いて形成された柔軟性を有するとともに、水分を含んでも変形しずらいシート状の乾燥シート本体４と、この乾燥シート本体４に含浸あるいは塗布された塩化カルシウム、塩化リチウム等の乾燥剤５とで構成されたものや、図４に示すように化学繊維、パルプ繊維、ウール繊維等のいずれか１個あるいはこれらを複数個混合した繊維を接着剤でシート状に固定した不織布で形成した乾燥シート本体４Ａと、この乾燥シート本体４Ａに含浸あるいは塗布された塩化カルシウム、塩化リチウム等の乾燥剤５とで構成された押し花乾燥シート２Ａや、図５に示すようにパルプ繊維と化学繊維とを用いて形成された柔軟性を有するとともに、水分を含んでも変形しずらいシート状の乾燥シート本体４Ｂと、この乾燥シート本体４Ｂに含浸あるいは塗布された塩化カルシウム、塩化リチウム等の乾燥剤５と、前記乾燥シート本体４Ｂを少なくとも１枚以上重ねて外周部を覆うように取付けられたクッションシート６とで構成された押し花乾燥シート２Ｂ、あるいは乾燥機や天日乾燥させる場合には通気性を有するクッション材で形成された押し花乾燥シート等が使用される。
【００１０】
また、前記押し花シートセット工程１で使用される押し花シート３は図６に示すように、前記押し花乾燥シート２、２Ａ、２Ｂの大きさに和紙で形成された押し花シート本体７と、この押し花シート本体７の左右の両端部と折り目８、８を介して一体形成された、該押し花シート本体７と重なり合いほぼ中央部で先端部が対向するカバーシート９、９とで形成されている。
【００１１】
１０は前記押し花シート３内に押し花にする草花１１を前記押し花シートセット工程１の前あるいは後、本発明の実施の形態では後に配置する草花配置工程で、この草花配置工程１０は図７に示すように、押し花シート３のカバーシート９、９をめくって、押し花シート本体７上に草花１１を配置し、草花の配置後にはカバーシート９、９で草花１１を覆う。
この場合、カバーシート９、９の先端部によって草花に跡が付きそうな場合には必要に応じて薄い透明あるいは半透明のシート材を草花の上に被せた後、カバーシート９、９で覆ってもよい。
【００１２】
１２は前記草花配置工程１０および押し花シートセット工程１を経たものを、図８に示すように複数個積み重ねて押し圧する押し圧工程で、この押し圧工程１２は上下部に押し圧板１３、１３を位置させ、ゴムバンド１４、１４を用いて行なう。
この場合、押し圧板１３、１３とゴムバンド１４、１４で押し圧状態にしたものを防湿袋１５に収納することにより、より効率よく草花１１を乾燥させることができる。
【００１３】
１６は前記押し圧工程１２後に押し圧シート３を取り出し、そのまま図９に示すように防湿性の保存袋１７に収納したり、図１０に示すように押し花シート３の両端部のカバーシート９、９を持って、該押し花シート本体７上の出来上がった押し花１１Ａを保存容器１８等に移す押し花保存工程である。
【００１４】
【発明の異なる実施の形態】
次に、図１１ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図１１および図１２に示す本発明の第２の実施の形態において、前記本発明の第１の実施の形態と主に異なる点は、図１２に示すように一方の端部寄りの部位で先端部が対向するカバーシート９Ａ、９Ｂを押し花シート本体７の両端部と折り目８、８を介して一体形成した押し花シート３Ａを用いて押し花シートセット工程１Ａを行なった点で、このような押し花シート３Ａを用いても、前記本発明の第１の実施の形態と同様な作用効果が得られる。
【００１６】
図１３および図１４に示す本発明の第３の実施の形態において、前記本発明の第１の実施の形態と主に異なる点は、図１４に示すように一方の端部寄りの部位で先端部が重なり合うカバーシート９Ｃ、９Ｄを押し花シート本体７の両端部と折り目８、８を介して一体形成した押し花シート３Ｂを用いて押し花シートセット工程１Ｂを行なった点で、このような押し花シート３Ｂを用いても、前記本発明の第１の実施の形態と同様な作用効果が得られる。
【００１７】
図１５および図１６に示す本発明の第４の実施の形態において、前記本発明の第１の実施の形態と主に異なる点は、図１６に示すように小さな孔１９を多数個形成したシート材で形成した押し花シート３Ｃを用いて押し花シートセット工程１Ｃを行なった点で、このような押し花シート３Ｃを用いても、前記本発明の第１の実施の形態と同様な作用効果が得られる。
【００１８】
図１７および図１８に示す本発明の第５の実施の形態において、前記本発明の第１の実施の形態と主に異なる点は、図１８に示すようにメッシュシート材で形成した押し花シート３Ｄを用いて押し花シートセット工程１Ｄを行なった点で、このような押し花シート３Ｄを用いても、前記本発明の第１の実施の形態と同様な作用効果が得られる。
【００１９】
図１９ないし図２１に示す本発明の第６の実施の形態において、前記本発明の第１の実施の形態と主に異なる点は、押し花シート本体７の下端部に折り目８を介して一体形成した係止片２０を形成した押し花シート３Ｅを用いて押し花シートセット工程１Ｅを行なった点で、このような押し花シート３Ｅを用いても、前記本発明の第１の実施の形態と同様な作用効果が得られるとともに、図２１に示すように保存袋１７に収納した場合等に、押し花シート３Ｅに収納されている押し花１１Ａが係止片２０によって外部へ脱落するのを効率よく防止することができる。
【００２０】
なお、前記本発明の第４、第５、第６の実施の形態の押し花シート３Ｃ、３Ｄ、３Ｅを、前記第２、第３の実施の形態の押し花シート３Ａ、３Ｂの形状にしてもよい。
【００２１】
【発明の効果】
以上の説明から明らかなように、本発明にあっては次に列挙する効果が得られる。
【００２２】
（１）押し花乾燥シートの上面に位置される押し花シートが該押し花乾燥シートと同じ大きさあるいはわずかに小さい寸法となるように該押し花シートの両端部が折り曲げられ、該押し花シートに重ねられた、透明あるいは半透明の通気性を有するものを用いる押し花シートセット工程と、前記押し花シート内に押し花にする草花を前記押し花シートセット工程の前あるいは後に配置する草花配置工程と、この草花配置工程および押し花シートセット工程を経たものを複数個積み重ねて押し圧する押し圧工程と、この押し圧工程後に押し花シートを取り出し、そのまま保存袋に収納したり、押し花シートの両端部を持って該押し花シート上の出来上がった押し花を保存容器等へ移す押し花保存工程とからなるので、押し花にする草花を１個の押し花シートによって内部に収納するように覆うことができる。
したがって、積み重ねの作業時や押し圧状態にする作業時に、押し花シートに配置した草花が移動するのを効率よく防止することができ、きれいな押し花を作ることができる。
【００２３】
（２）前記（１）によって、出来上がった押し花を押し花シートに収納されたままの状態で、保存袋内等に収納しておくことができる。
したがって、押し花シートは押し花作成時の押し花乾燥シートへの付着や汚れを防止する機能と、保存時の押し花保護機能を有し、有効利用を図ることができる。
【００２４】
（３）前記（１）によって、押し花シートは透明あるいは半透明で通気性を有するものを用いているので、押し花作成時に草花の水分を押し花乾燥シートによって効率よく乾燥させることができるとともに、保存時には内部の押し花を確認することができる。
【００２５】
（４）請求項２、３も前記（１）〜（３）と同様な効果が得られる。
【図面の簡単な説明】
【図１】本発明の第１の実施の形態の工程図。
【図２】本発明の第１の実施の形態の押し花シートセット工程の説明図。
【図３】本発明の第１の実施の形態の押し花乾燥シートの説明図。
【図４】本発明の第１の実施の形態の異なる押し花乾燥シートの説明図。
【図５】本発明の第１の実施の形態の異なる押し花乾燥シートの説明図。
【図６】本発明の第１の実施の形態の押し花シートの説明図。
【図７】本発明の第１の実施の形態の草花配置工程の説明図。
【図８】本発明の第１の実施の形態の押し圧工程の説明図。
【図９】本発明の第１の実施の形態の保存袋への収納状態の説明図。
【図１０】本発明の第１の実施の形態の保存容器への収納状態の説明図。
【図１１】本発明の第２の実施の形態の工程図。
【図１２】本発明の第２の実施の形態の押し花シートの説明図。
【図１３】本発明の第３の実施の形態の工程図。
【図１４】本発明の第３の実施の形態の押し花シートの説明図。
【図１５】本発明の第４の実施の形態の工程図。
【図１６】本発明の第４の実施の形態の押し花シートの説明図。
【図１７】本発明の第５の実施の形態の工程図。
【図１８】本発明の第５の実施の形態の押し花シートの説明図。
【図１９】本発明の第６の実施の形態の工程図。
【図２０】本発明の第６の実施の形態の押し花シートの説明図。
【図２１】本発明の第６の実施の形態の保存袋への収納状態の説明図。
【符号の説明】
１、１Ａ、１Ｂ、１Ｃ、１Ｄ、１Ｅ：押し花シートセット工程、
２、２Ａ、２Ｂ：押し花乾燥シート、
３、３Ａ、３Ｂ、３Ｃ、３Ｄ、３Ｅ：押し花シート、
４、４Ａ、４Ｂ：乾燥シート本体、
５：乾燥剤、            ６：クッションシート、
７：押し花シート本体、  ８：折り目、
９、９Ａ、９Ｂ、９Ｃ、９Ｄ：カバーシート、
１０：草花配置工程、    １１：草花、
１２：押し圧工程、      １３：押し圧板、
１４：ゴムバント、      １５：防湿袋、
１６：押し花保存工程、  １７：保存袋、
１８：保存容器、        １９：小さな孔、
２０：係止片。
【図１】
0004536201.tif 000002
【図２】
0004536201.tif 000003
【図３】
0004536201.tif 000004
【図４】
0004536201.tif 000005
【図５】
0004536201.tif 000006
【図６】
0004536201.tif 000007
【図７】
0004536201.tif 000008
【図８】
0004536201.tif 000009
【図９】
0004536201.tif 000010
【図１０】
0004536201.tif 000011
【図１１】
0004536201.tif 000012
【図１２】
0004536201.tif 000013
【図１３】
0004536201.tif 000014
【図１４】
0004536201.tif 000015
【図１５】
0004536201.tif 000016
【図１６】
0004536201.tif 000017
【図１７】
0004536201.tif 000018
【図１８】
0004536201.tif 000019
【図１９】
0004536201.tif 000020
【図２０】
0004536201.tif 000021
【図２１】
0004536201.tif 000022